(57)【要約】【課題】光ディスクの最内周側に移動した際に、光ピックアップ装置とターンテーブルとの間隔を確保することができる光ピックアップ装置を提供すること。【解決手段】本発明の光ピックアップ装置の対物レンズ駆動装置１０は、対物レンズ２２を保持するレンズホルダ２と、レンズホルダ２を支持するチルティングワイヤ５１とフォーカシングワイヤ５３とトラッキングワイヤ５５と、これらのワイヤを支持するダンパベース３とを備える。チルティングワイヤ５１がレンズホルダ２の第１支持部６１を支持し、フォーカシングワイヤ５３とトラッキングワイヤ５５がレンズホルダ２の第２支持部６２を支持し、レンズホルダ２の周囲であって第１支持部６１と第２支持部６２との間にフォーカシングコイルを巻回する。第１支持部６１にはチルティングワイヤ５１のみが存在し、第１支持部６１の突出量を抑えることができる。【選択図】図２
2007048336.tif 000002
【特許請求の範囲】
【請求項１】
光ディスクの半径方向に沿って移動することができる光学ベースと、
前記光学ベース上に搭載されている対物レンズ駆動装置と、
前記光学ベースに設けられ、レーザ光を出射するレーザ光源と前記光ディスクで反射したレーザ光を検出する光検出器と、
前記レーザ光源から出射されたレーザ光を前記光ディスクに導くとともに、前記光ディスクで反射したレーザ光を前記光検出器に導く光学系とを備えている光ピックアップ装置において、
前記対物レンズ駆動装置は、前記レーザ光源から出射されたレーザ光を光ディスクに集光させる対物レンズと、前記対物レンズを保持するレンズホルダと、前記レンズホルダをその両側部において支持するそれぞれ２本１組の第１サスペンションワイヤと第２サスペンションワイヤと第３サスペンションワイヤと、前記第１、第２および第３サスペンションワイヤを支持するダンパベースとを備え、前記２本の第１サスペンションワイヤのそれぞれの一端側は前記レンズホルダの両側部上部をそれぞれ支持し、それらの他端側は前記ダンパベースに支持され、前記それぞれ２本の第２および第３サスペンションワイヤのそれぞれの一端側は前記レンズホルダの両側部下部を支持し、それらの他端側は前記ダンパベースに支持され、前記レンズホルダの周囲であって、前記第１サスペンションワイヤと、前記第２および第３サスペンションワイヤとの間にアクチュエータ用コイルを巻回したことを特徴とする光ピックアップ装置。
【請求項２】
前記アクチュエータ用コイルは、フォーカシングコイル、チルティングコイルおよびトラッキングコイルのいずれかであり、
前記チルティングコイル、前記フォーカシングコイルおよび前記トラッキングコイルの各コイルに、前記第１、第２および第３サスペンションワイヤの各ワイヤから電流が供給される請求項１記載の光ピックアップ装置。
【請求項３】
前記第１サスペンションワイヤの前記一端側をそれぞれ支持するために前記レンズホルダの両側部上部に第１支持部を設け、
前記第２および第３サスペンションワイヤの前記一端側を支持するために前記レンズホルダの両側部下部に第２支持部を設け、
前記第１支持部と前記第２支持部とは互いに間隔をあけてそれぞれ独立して配設され、
前記第１支持部と前記第２支持部との間に前記フォーカシングコイルを巻回した請求項２記載の光ピックアップ装置。
【請求項４】
前記第１サスペンションワイヤの各ワイヤの断面積は、前記第２および第３サスペンションワイヤの各ワイヤの断面積より大きい請求項１記載の光ピックアップ装置。
【請求項５】
前記第１サスペンションワイヤの断面２次モーメントの合計が、前記第２および第３サスペンションワイヤの断面２次モーメントの合計と同じになるように、前記第１、第２および第３サスペンションワイヤの各ワイヤの断面積が設定されている請求項１記載の光ピックアップ装置。
【請求項６】
前記第１支持部および前記第２支持部は、前記レンズホルダに一体に形成されている請求項３記載の光ピックアップ装置。
【発明の詳細な説明】
【技術分野】
【０００１】
本発明は、光ディスク装置に用いられる光ピックアップ装置に関する。
【背景技術】
【０００２】
光ディスク装置に用いられる光ピックアップ装置は、一般に光ディスクの半径方向に沿って移動することができる光学ベースと、光学ベース上に搭載されている対物レンズ駆動装置と、レーザ光を出射するレーザ光源と、光ディスクで反射したレーザ光を検出する光検出器と、レーザ光源から出射されたレーザ光を光ディスクに導くとともに、光ディスクで反射したレーザ光を光検出器に導く光学系とを備えている。
【０００３】
上記対物レンズ駆動装置は、対物レンズと、この対物レンズを保持するレンズホルダと、レンズホルダを変位させるためにレンズホルダに設けられている複数のアクチュエータコイルと、一端においてレンズホルダを支持する複数のサスペンションワイヤと、これらの複数のサスペンションワイヤの他端を支持するダンパベースとを有する。
【０００４】
ブルーレイディスク（Blu-ray Disc）対応の光ディスク装置に用いられる光ピックアップ装置の対物レンズ駆動装置においては、対物レンズのフォーカス制御およびトラッキング制御に加えて、対物レンズのチルティング制御が必要となる。このため、対物レンズを支持しているレンズホルダ両側部には計６本のサスペンションワイヤ（それぞれ２本１組のフォーカスコイル用ワイヤ、トラッキングコイル用ワイヤ、チルティングコイル用ワイヤ）が配設されることになる。
【０００５】
このような光ピックアップ装置の対物レンズ駆動装置として、図５に示すような対物レンズ駆動装置１００が知られている（特許文献１参照）。
【０００６】
この対物レンズ駆動装置１００は、符号１０２で示す対物レンズを備え、対物レンズ１０２は、レンズホルダ１０１に保持されている。レンズホルダ１０１の側部外周には、チルティング用のチルティングコイル１０９が巻回されている。
【０００７】
このチルティングコイル１０９と対向する位置にチルティング用マグネット１０６ｃ、１０６ｄが配置されている。なお、図５には示されていないが、レンズホルダ１０１には、フォーカシングコイルおよびトラッキングコイルが取り付けられており、フォーカシングコイルおよびトラッキングコイルと対向する位置にフォーカシングおよびトラッキング用マグネットが配置されている。
【０００８】
レンズホルダ１０１の両側部の上部１０７ａ、１０７ｂには、それぞれサスペンションワイヤ１０８ａおよび１０８ｂ、サスペンションワイヤ１０８ｃおよび１０８ｄが水平方向に並列に配置されている。
【０００９】
一方、レンズホルダ１０１の両側部の下部１０７ｃおよび１０７ｄには、それぞれサスペンションワイヤ１０８ｅおよび１０８ｆが配置されている。
【００１０】
この対物レンズ駆動装置１００の計６本のサスペンションワイヤ１０８ａ〜１０８ｆは、それぞれフォーカシングコイル（図示せず）、トラッキングコイル（図示せず）、チルティングコイル１０９への電流を供給する接続用サスペンションワイヤであると同時に、レンズホルダ１０１を変位可能に支持する役割を有する。
【００１１】
この対物レンズ駆動装置１００において、レンズホルダ１０１の両側部の上部１０７ａ、１０７ｂに係止されている４本のサスペンションワイヤの内、サスペンションワイヤ１０８ａおよび１０８ｃはフォーカシングコイルに、サスペンションワイヤ１０８ｂおよび１０８ｄはトラッキングコイルに電気的に接続されている。また、サスペンションワイヤ１０８ｅおよび１０８ｆはチルティングコイル１０９に電気的に接続されている。
【００１２】
上記のような構成において、フォーカシングコイル、トラッキングコイルおよびチルティングコイル１０９への電流を制御することにより、レンズホルダ１０１（および対物レンズ１０２）を移動（フォーカシング方向およびトラッキング方向の移動）またはチルティングさせることができる。これにより、レーザ光を光ディスクの記録面のトラック上に正しく集光させることができる。
【００１３】
【特許文献１】特開２０００−１４９２９２号公報
【発明の開示】
【発明が解決しようとする課題】
【００１４】
ところで、ブルーレイディスク等の光ディスクを記録再生する光ディスク装置では、従来のＣＤやＣＤ−Ｒ等の光ディスクを再生または記録再生する光ディスク装置に比べて、ディスク記録面と対物レンズとの間の距離が短い。また、ブルーレイディスク等の光ディスクでは、ＣＤ等の光ディスクに比べて、ディスクの内周側までリードインエリアが存在する。このため、ブルーレイディスク等に対応している光ディスク装置においては、光ピックアップ装置が従来よりもディスク記録面に接近できるようにするとともに、より光ディスクの内周側に移動できるようにしなければならない。
【００１５】
しかし、光ディスクの最内周側へさらに光ピックアップ装置を移動可能にするためには、ＣＤ等の光ピックアップ装置と比べて光ピックアップ装置を小型化しなければならないという問題点があった。これは、従来の大きさの光ピックアップ装置を用いると、光ピックアップ装置の一部、例えば、レンズホルダが光ディスクの最内周側においてターンテーブル（図示せず）の外周と接触してしまい、最内周側のディスク情報の読み出しやそのエリアへの書き込みが不可能になるからである。
【００１６】
このような問題点を従来の対物レンズ駆動装置１００において説明する。この対物レンズ駆動装置１００では、前述したようにレンズホルダ１０１の上部１０７ａにサスペンションワイヤ１０８ａ、１０８ｂが水平方向に並列に配置されている。
【００１７】
このため、サスペンションワイヤ１０８ａ、１０８ｂを固定している上部１０７ａがターンテーブル方向へ大幅に突出している。光ディスクの最内周側へ光ピックアップ装置が移動した際に、この上部１０７ａの突出は、レンズホルダ１０１とターンテーブルとの間に必要なクリアランスを狭めていた。このため、ブルーレイディスク等に適用される光ディスク装置に用いると、対物レンズ駆動装置１００のレンズホルダ１０１がターンテーブルに接触してしまう。この接触を回避するためには、さらに対物レンズ駆動装置１００のレンズホルダ１０１を小型化しなければならないが、このような小型化は、製造を困難にすると共に、製造コストの上昇を招来するという問題点があった。
【００１８】
また、ターンテーブル方向側に位置するサスペンションワイヤ１０８ｂ自体も、光ディスクの最内周側へ光ピックアップ装置が移動した際に、サスペンションワイヤ１０８ｂとターンテーブルとのクリアランスを狭める原因となっていた。
【００１９】
上記問題点に鑑み、本発明は、光ピックアップ装置が光ディスクの最内周側に移動した際に、光ピックアップ装置とターンテーブルとのクリアランスを十分に確保することができる光ピックアップ装置を提供すること目的とする。
【課題を解決するための手段】
【００２０】
上記目的を達成するために、本発明の光ピックアップ装置は、光ディスクの半径方向に沿って移動することができる光学ベースと、前記光学ベース上に搭載されている対物レンズ駆動装置と、前記光学ベースに設けられ、レーザ光を出射するレーザ光源と前記光ディスクで反射したレーザ光を検出する光検出器と、前記レーザ光源から出射されたレーザ光を前記光ディスクに導くとともに、前記光ディスクで反射したレーザ光を前記光検出器に導く光学系とを備えている光ピックアップ装置において、前記対物レンズ駆動装置は、前記レーザ光源から出射されたレーザ光を光ディスクに集光させる対物レンズと、前記対物レンズを保持するレンズホルダと、前記レンズホルダをその両側部において支持するそれぞれ２本１組の第１サスペンションワイヤと第２サスペンションワイヤと第３サスペンションワイヤと、前記第１、第２および第３サスペンションワイヤを支持するダンパベースとを備え、前記２本の第１サスペンションワイヤのそれぞれの一端側は前記レンズホルダの両側部上部をそれぞれ支持し、それらの他端側は前記ダンパベースに支持され、前記それぞれ２本の第２および第３サスペンションワイヤのそれぞれの一端側は前記レンズホルダの両側部下部を支持し、それらの他端側は前記ダンパベースに支持され、前記レンズホルダの周囲であって、前記第１サスペンションワイヤと、前記第２および第３サスペンションワイヤとの間にアクチュエータ用コイルを巻回したことを特徴とする。
【００２１】
さらに、本発明の光ピックアップ装置では、前記アクチュエータ用コイルは、フォーカシングコイル、チルティングコイルおよびトラッキングコイルのいずれかであり、前記チルティングコイル、前記フォーカシングコイルおよび前記トラッキングコイルの各コイルに、前記第１、第２および第３サスペンションワイヤの各ワイヤから電流が供給されることが好ましい。
【００２２】
さらに、本発明の光ピックアップ装置では、前記第１サスペンションワイヤの前記一端側をそれぞれ支持するために前記レンズホルダの両側部上部に第１支持部を設け、前記第２および第３サスペンションワイヤの前記一端側を支持するために前記レンズホルダの両側部下部に第２支持部を設け、前記第１支持部と前記第２支持部とは互いに間隔をあけてそれぞれ独立して配設され、前記第１支持部と前記第２支持部との間に前記フォーカシングコイルを巻回したことが好ましい。
【００２３】
さらに、本発明の光ピックアップ装置では、前記第１サスペンションワイヤの各ワイヤの断面積は、前記第２および第３サスペンションワイヤの各ワイヤの断面積より大きいことが好ましい。
【００２４】
さらに、本発明の光ピックアップ装置では、前記第１サスペンションワイヤの断面２次モーメントの合計が、前記第２および第３サスペンションワイヤの断面２次モーメントの合計と同じになるように、前記第１、第２および第３サスペンションワイヤの各ワイヤの断面積が設定されていることが好ましい。
【００２５】
また、本発明の光ピックアップ装置では、前記第１支持部および前記第２支持部は、前記レンズホルダに一体に形成されていることが好ましい。
【発明の効果】
【００２６】
請求項１記載の発明によれば、レンズホルダの両側部上部を２本１組の第１サスペンションワイヤにより支持するため、当該各側部上部には１本のサスペンションワイヤのみが存在するだけである。このため、レンズホルダの側部上部におけるターンテーブル方向への突出量を最小限に抑えることができ、光ピックアップ装置が光ディスクの最内周側に移動した際の光ピックアップ装置とターンテーブルとの十分なクリアランスを確保することができる。したがって、レンズホルダを小型化する必要がなく、光ピックアップ装置の製造コストの低減を実現することができる。
【００２７】
請求項３記載の発明によれば、レンズホルダの側部において、第１支持部と第２支持部とが互いに間隔をあけてそれぞれ独立して配設したため、第１支持部と第２支持部との間にフォーカシングコイルを巻回するスペースを確保することができる。したがって、フォーカシングコイルの巻回作業を容易にすることができ、光ピックアップ装置の製造コストの低廉化を実現することができる。
【００２８】
請求項４記載の発明によれば、第１サスペンションワイヤの各ワイヤの断面積が第２および第３サスペンションワイヤの各ワイヤの断面積より大きくなる。そのため、請求項５に記載したように、第１サスペンションワイヤの断面２次モーメントの合計が、第２および第３サスペンションワイヤの断面２次モーメントの合計と同じになるように、第１、第２および第３サスペンションワイヤの各ワイヤの断面積が設定できる。それにより、第１サスペンションワイヤの断面２次モーメントの合計と、第２および第３サスペンションワイヤの断面２次モーメントの合計とのバランスを採ることができる。これにより、レンズホルダの上部のモーメントとレンズホルダの下部のモーメントとの整合を図ることにより、レンズホルダを機械的に安定させ、正確且つ精密な駆動を実現することができる。
【００２９】
請求項６記載の発明によれば、第１支持部および第２支持部は、レンズホルダに一体に形成されているため、レンズホルダの成形を容易に行うことができる。
【発明を実施するための最良の形態】
【００３０】
以下、添付図面を参照しつつ本発明に係る光ピックアップ装置の実施形態について詳細に説明する。
【００３１】
図１は、本発明の実施形態に係る光ピックアップ装置１の全体構成を示す斜視図である。光ピックアップ装置１は、光ディスク（図示せず）の半径方向に沿って移動することができる光学ベース１１と、光学ベース１１上に搭載されている対物レンズ駆動装置１０と、レーザ光を出射するレーザ光源１２と、光ディスクで反射したレーザ光を検出する光検出器１３と、レーザ光源１２から出射されたレーザ光を光ディスクに導くとともに、光ディスクで反射したレーザ光を光検出器１３に導く光学系（図示せず）とを備えている。
【００３２】
この光ピックアップ装置１は、光ディスク装置に装填された光ディスクの半径方向に沿って光学ベース１１が移動することに伴い、光ディスク記録面の情報の読み出しや記録面への情報の書き込みを行うものである。
【００３３】
図２は、本発明の実施形態に係る光ピックアップ装置１の対物レンズ駆動装置１０の全体構成を示す斜視図である。対物レンズ駆動装置１０は、レンズホルダ２と、ダンパベース３と、ヨーク４と、サスペンションワイヤ（チルティングワイヤ５１、５２、フォーカシングワイヤ５３、５４およびトラッキングワイヤ５５、５６）（図３参照）と、を備えている。
【００３４】
レンズホルダ２は、図２から図４に示すようにレンズホルダ本体２１と、対物レンズ２２と、フォーカシングコイル２３と、トラッキングコイル２４１〜２４４と、チルティングコイル２５１〜２５４とを備えている。なお、このフォーカシングコイル２３と、トラッキングコイル２４１〜２４４と、チルティングコイル２５１〜２５４は、対物レンズ駆動装置１０のアクチュエータ用コイルを構成する。
【００３５】
レンズホルダ本体２１は、ほぼ矩形状であり、ヨーク４の上に配設されている。レンズホルダ本体２１は、サスペンションワイヤ（チルティングワイヤ５１、５２、フォーカシングワイヤ５３、５４およびトラッキングワイヤ５５、５６）によって、ヨーク４に対して変位可能に支持されている。レンズホルダ本体２１の底面には、後述する対物レンズ２２の下方に設けた円孔（図示せず）と、後述するヨーク片４３１〜４３４が貫通するための２個の矩形状貫通穴２１１、２１２とを備えている。
【００３６】
対物レンズ２２は、レンズホルダ本体２１の上面中央に固定されており、レーザ光源１２から出射されたレーザ光を光ディスク（図示せず）の記録面に収束させ、光ディスクの記録面で反射したレーザ光を通過させる。
【００３７】
フォーカシングコイル２３は、矩形状のコイルであり、後述するマグネット４４とヨーク片４３１、４３２との間およびマグネット４５とヨーク片４３３、４３４との間に形成される磁界を通過するようにして、レンズホルダ本体２１の周囲（側面外周）に巻回されている。また、図４に示すように、レンズホルダ２の側方から見ると、フォーカシングコイル２３は、後述するチルティングワイヤ５１（５２）（第１サスペンションワイヤ）とフォーカシングワイヤ５３（５４）（第２サスペンションワイヤ）およびトラッキングワイヤ５５（５６）（第３サスペンションワイヤ）との間に配置されている。さらに詳細に説明すると、フォーカシングコイル２３は、レンズホルダ本体２１の周囲の後述する第１支持部６１と第２支持部６２との間に巻回されている。また、フォーカシングコイル２３のリード線端は、それぞれ後述する接続突起６４に巻回され、フォーカシングワイヤ５３、５４と電気的に接続されている。
【００３８】
このようにフォーカシングコイル２３は、マグネット４４とヨーク片４３１、４３２との間およびマグネット４５とヨーク片４３３、４３４との間に形成されている磁界の中に配置されている。したがって、フォーカシングコイル２３への電流供給により、レンズホルダ２全体がフォーカシング方向（図２に示す符号Ｆ方向）に沿って昇降移動することができる。
【００３９】
トラッキングコイルは、図２に示すように、４個のトラッキングコイル２４１〜２４４から構成されている。これらのトラッキングコイル２４１〜２４４は、フォーカシングコイル２３とマグネット４４、４５との間であって、レンズホルダ本体２１のタンジェンシャル方向（図２に示す符号Ｔｇ方向）の両側面にそれぞれ２個づつ立設するように固定されている。また、トラッキングコイル２４１〜２４４のリード線端は、それぞれ後述する接続突起６５に巻回され、トラッキングワイヤ５５、５６と電気的に接続されている。各トラッキングコイル２４１〜２４４は、マグネット４４とヨーク片４３１、４３２との間およびマグネット４５とヨーク片４３３、４３４との間に形成されている磁界の中に配置されている。したがって、トラッキングコイル２４１〜２４４への電流供給により、レンズホルダ２全体がトラッキング方向（図２に示す符号Ｔｒ方向）に沿って左右に移動することができる。
【００４０】
チルティングコイルは、図３に示すように、４個のチルティングコイル２５１〜２５４から構成されている。これらチルティングコイル２５１〜２５４は、フォーカシングコイル２３と後述するヨーク片４３１〜４３４との間であって、レンズホルダ本体２１の底面に形成されている２個の矩形状貫通穴２１１、２１２の内周面にそれぞれ２個づつ固定されている。また、チルティングコイル２５１〜２５４のリード線端は、後述する接続突起６３に巻回され、チルティングワイヤ５１、５２と電気的に接続されている。チルティングコイル２５１〜２５４は、マグネット４４とヨーク片４３１、４３２との間およびマグネット４５とヨーク片４３３、４３４との間に形成されている磁界の中に配置されている。したがって、チルティングコイル２５１〜２５４への電流供給により、レンズホルダ２全体がタンジェンシャル方向（図２中の符号Ｔｇ方向）に平行な軸周りに回動することができる。
【００４１】
ダンパベース３は、レンズホルダ２の片側に配置されており、ダンパベース本体３１とワイヤ支持部３２とを備えている。このダンパベース３は、ヨーク４に固定されているため、レンズホルダ２は、ダンパベース３に対しても移動（フォーカシング方向およびトラッキング方向の移動）またはチルティングすることができる。
【００４２】
ダンパベース本体３１は、レンズホルダ２からタンジェンシャル方向（Ｔｇ方向）に所定間隔をおいて配置されており、後述するヨーク４の底板部４１上にネジ３３により螺着されている（図２参照）。
【００４３】
ワイヤ支持部３２、３２は、ダンパベース本体３１のトラッキング方向（Ｔｒ方向）両側にダンパベース本体３１と一体に設けられている。各ワイヤ支持部３２は、チルティングワイヤ５１（５２）が挿通される上部貫通孔３２３と、フォーカシングワイヤ５３（５４）およびトラッキングワイヤ５５（５６）がそれぞれ挿通される下部貫通孔３２４および３２５とを備えている。また、各ワイヤ支持部３２は、チルティングワイヤ５１（５２）、フォーカシングワイヤ５３（５４）およびトラッキングワイヤ５５（５６）を、それぞれダンピング材３２２を介して支持している。このダンピング材３２２を充填するための２個の充填用凹部３２１が各ワイヤ支持部３２の上下に設けられている。ダンピング材３２２は、レンズホルダ２全体が移動またはチルティングする際に、チルティングワイヤ５１、５２、フォーカシングワイヤ５３、５４およびトラッキングワイヤ５５、５６によりもたらされるレンズホルダ２の共振を防止している。
【００４４】
ヨーク４は、図２および図４に示すように、底板部４１と、２個のマグネット取付部４２１、４２２と、４個のヨーク片４３１〜４３４と、２個のマグネット４４、４５と、を備えている。
【００４５】
底板部４１には、上述したように、その上面にダンパベース本体３１が固定されている。
【００４６】
図２に示すように、マグネット取付部４２１は、レンズホルダ２とダンパベース３との間に位置するように、底板部４１上に立設されている。またマグネット取付部４２２は、マグネット取付部４２１とマグネット取付部４２２との間に、レンズホルダ２が位置するように、底板部４１上に立設されている。これらマグネット取付部４２１、４２２は、それぞれマグネット４４、４５を取り囲むように断面略コの字状になっている。
【００４７】
ヨーク片４３１〜４３４は、レンズホルダ本体２１に形成されている２個の矩形状貫通穴２１１、２１２を貫通するように底板部４１上に立設されている。そして、貫通穴２１１にはヨーク片４３１、４３２が、また、貫通穴２１２にはヨーク片４３３、４３４がそれぞれ挿通されている。ヨーク片４３１〜４３４は、それぞれチルティングコイル２５１〜２５４と所定間隔をおいて配置されている（図３参照）。これは、レンズホルダ２全体が移動またはチルティングする際に、ヨーク片４３１〜４３４がレンズホルダ２の貫通穴２１１、２１２の内周面に設けたチルティングコイル２５１〜２５４との接触を防止するためである。
【００４８】
図２に示すように、マグネット４４は、ヨーク片４３１、４３２と対向し、ヨーク片４３１、４３２との間に磁界を形成し、また、マグネット４５は、ヨーク片４３３、４３４と対向し、マグネット４５とヨーク片４３３、４３４との間に磁界を形成している。
【００４９】
サスペンションワイヤは、第１サスペンションワイヤであるチルティングワイヤ５１、５２と、第２サスペンションワイヤであるフォーカシングワイヤ５３、５４と、第３サスペンションワイヤであるトラッキングワイヤ５５、５６とから構成される。そして、第２サスペンションワイヤであるフォーカシングワイヤ５３、５４と、第３サスペンションワイヤであるトラッキングワイヤ５５、５６とは、トラッキング方向（Ｔｒ方向）において並列に配置されている。
【００５０】
チルティングワイヤ５１、５２のそれぞれの一端側は、レンズホルダ２の左右第１支持部６１、６１（側部上部）をそれぞれ支持しており、それらの他端側がダンパベース３のワイヤ支持部３２の上部貫通孔３２３を貫通している。チルティングワイヤ５１、５２は、第１支持部６１と前述の充填用凹部３２１との間に張り渡してある部分が弾性変形することにより、レンズホルダ２全体の移動またはチルティングを可能にする。さらに、チルティングワイヤ５１、５２の断面２次モーメントの合計を、フォーカシングワイヤ５３、５４およびトラッキングワイヤ５５、５６の断面２次モーメントの合計と同じにするために、チルティングワイヤ５１、５２の各ワイヤの断面積は、フォーカシングワイヤ５３、５４およびトラッキングワイヤ５５、５６の各ワイヤの断面積より大きい断面積を有するように設定されている。
【００５１】
フォーカシングワイヤ５３、５４のそれぞれの一端側は、レンズホルダ２の左右第２支持部６２、６２（側部下部）をそれぞれ支持しており、それらの他端側がダンパベース３のワイヤ支持部３２の下部貫通孔３２４を貫通している。フォーカシングワイヤ５３、５４は、第２支持部６２と前述の充填用凹部３２１との間に張り渡してある部分が弾性変形することにより、レンズホルダ２全体の移動またはチルティングを可能にする。
【００５２】
トラッキングワイヤ５５、５６のそれぞれの一端側は、レンズホルダ２の左右第２支持部６２を支持しており、その各他端側がダンパベース３のワイヤ支持部３２の下部貫通孔３２５を挿通している。また、トラッキングワイヤ５５、５６は、それぞれフォーカシングワイヤ５３、５４とトラッキング方向（Ｔｒ方向）において、並列に配置されている（図３参照）。トラッキングワイヤ５５、５６は、第２支持部６２と前述の充填用凹部３２１との間に張り渡してある部分が弾性変形することにより、レンズホルダ２全体の移動またはチルティングを可能にする。
【００５３】
上記チルティングワイヤ５１、５２、フォーカシングワイヤ５３、５４およびトラッキングワイヤ５５、５６の他端は、光学ベース１１に設けられた基板（図示せず）に電気的に接続されている。レンズホルダ２の両側部には、上部（側部上部）に前述した第１支持部６１、６１が、下部（側部下部）に前述した第２支持部６２、６２が一体に設けられている。
【００５４】
第１支持部６１と第２支持部６２とは、互いに上下に間隔をあけて独立して配設されている。これにより、レンズホルダ２の側部において、第１支持部６１と第２支持部６２との間にフォーカシングコイル２３を巻回することができるようになった。
【００５５】
また、レンズホルダ２の両側部には、第１支持部６１、６１、第２支持部６２、６２からダンパベース３とは反対側に間隔をおいた位置に前述した接続突起６３〜６５がそれぞれ一体に設けられている。
【００５６】
第１支持部６１は、レンズホルダ本体２１のトラッキング方向（Ｔｒ方向）の両側部上部から外側へ突出するように、レンズホルダ本体２１と一体に形成されている。各第１支持部６１は、それぞれ前述のチルティングワイヤ５１、５２の一端側を貫通させるための貫通孔６１１を有する。各貫通孔６１１にダンピング材を充填することによって、チルティングワイヤ５１、５２の一端側が保持されている。
【００５７】
また、第２支持部６２は、レンズホルダ本体２１のトラッキング方向（Ｔｒ方向）の両側部下部から外側へ突出するように、レンズホルダ本体２１と一体に形成されている。各第２支持部６２は、前述したフォーカシングワイヤ５３（５４）およびトラッキングワイヤ５５（５６）の一端側をそれぞれ貫通させるための貫通孔６２１、６２２を有する。すなわち、貫通孔６２１および貫通孔６２２は、トラッキング方向（Ｔｒ方向）に並列に配置されている。これらの貫通孔６２１、６２２にダンピング材を充填することによって、フォーカシングワイヤ５３、５４およびトラッキングワイヤ５５、５６の一端側が保持されている。
【００５８】
接続突起６３には、前述したようにチルティングコイル２５１〜２５４のリード線端が巻回されている。第１支持部６１を貫通し接続突起６３に伸びているチルティングワイヤ５１、５２の一端が、この接続突起６３において、チルティングコイル２５１〜２５４のリード線端に電気的に接続されている。したがって、チルティングワイヤ５１、５２によりチルティングコイル２５１〜２５４への電流供給が行われる。
【００５９】
接続突起６４には、前述したようにフォーカシングコイル２３のリード線端が巻回されている。第２支持部６２を貫通し接続突起６４に伸びているフォーカシングワイヤ５３、５４の一端が、この接続突起６４において、フォーカシングコイル２３のリード線端に電気的に接続されている。したがって、フォーカシングワイヤ５３、５４によりフォーカシングコイル２３への電流供給が行われる。
【００６０】
接続突起６５には、前述したようにトラッキングコイル２４１〜２４４のリード線端が巻回されている。第２支持部６２を貫通し接続突起６５に伸びているトラッキングワイヤ５５、５６の一端が、この接続突起６５において、トラッキングコイル２４１〜２４４のリード線端に電気的に接続されている。したがって、トラッキングワイヤ５５、５６によりトラッキングコイル２４１〜２４４への電流供給が行われる。
【００６１】
次に、本実施形態の作用効果を説明する。
最初に、レンズホルダ２の動作を説明する。このレンズホルダ２は、上述したように、マグネット４４、４５およびヨーク片４３１〜４３４が設けられているヨーク４に対して移動またはチルティングするようにダンパベース３にフォーカシングワイヤ５３、５４、トラッキングワイヤ５５、５６およびチルティングワイヤ５１、５２を介して支持されている。このため、フォーカシングワイヤ５３、５４、トラッキングワイヤ５５、５６およびチルティングワイヤ５１、５２による電流供給を制御すると、フォーカシングコイル２３、トラッキングコイル２４１〜２４４およびチルティングコイル２５１〜２５４が、上述した磁界の中で引き寄せられたり反発したりするため、これらのフォーカシングコイル２３、トラッキングコイル２４１〜２４４、チルティングコイル２５１〜２５４が設けられているレンズホルダ２がヨーク４に対して移動またはチルティングすることになる。
【００６２】
本実施形態によれば、チルティングワイヤ５１、５２が、レンズホルダ本体２１の両側部上部に設けられている第１支持部６１、６１にそれぞれ一本づつ支持されている。したがって、第１支持部６１のレンズホルダ本体２１からターンテーブル（図示せず）方向、すなわちトラッキング方向（Ｔｒ方向）への突出量を最小限に抑えることができる。このため、光ピックアップ装置１が光ディスク（図示せず）の最内周側に移動した際に、光ピックアップ装置１とターンテーブル（図示せず）とのクリアランスを十分に確保することができる。故に、このクリアランスを確保するためにレンズホルダ本体２１を小型化する必要がないため、光ピックアップ装置１の製造コストの上昇を回避することができる。
【００６３】
さらに、レンズホルダ本体２１の側部において、第１支持部６１と第２支持部６２とを互いに上下に間隔をあけてそれぞれ独立して配設したため、第１支持部６１と第２支持部６１との間にフォーカシングコイル２３を巻回することができる。したがって、フォーカシングコイル２３の巻回作業を容易にすることができ、当該作業時間の短縮を通じて製造コストの低減化を実現することができる。
【００６４】
さらに、チルティングワイヤ５１、５２の各ワイヤの断面積がフォーカシングワイヤ５３、５４およびトラッキングワイヤ５５、５６の各ワイヤの断面積より大きくなる。そのため、チルティングワイヤ５１、５２の断面２次モーメントの合計が、フォーカシングワイヤ５３、５４およびトラッキングワイヤ５５、５６の断面２次モーメントの合計と同じになるように、チルティングワイヤ５１、５２、フォーカシングワイヤ５３、５４およびトラッキングワイヤ５５、５６の各ワイヤの断面積が設定できる。それにより、チルティングワイヤ５１、５２の断面２次モーメントの合計と、フォーカシングワイヤ５３、５４およびトラッキングワイヤ５５、５６の断面２次モーメントの合計とのバランスを採ることができる。したがって、レンズホルダ２の上部のモーメントとレンズホルダ２の下部のモーメントとの整合を図ることにより、レンズホルダ２を機械的に安定させ、正確且つ精密な駆動を実現することができる。
【００６５】
なお、上記実施形態における各コイルと各サスペンションワイヤと組み合わせは一例であり、その組み合わせは適宜変更することが可能である。例えば、第１サスペンションワイヤがフォーカシングコイルと電気的に接続されているフォーカシングワイヤであり、第２サスペンションワイヤがトラッキングコイルと電気的に接続されているトラッキングワイヤであり、第３サスペンションワイヤがチルティングコイルと電気的に接続されているチルティングワイヤであってもよい。この場合、フォーカシングワイヤの各ワイヤの断面積は、トラッキングワイヤおよびチルティングワイヤの各ワイヤの断面積より大きくし、前述したように、フォーカシングワイヤの断面２次モーメントの合計が、トラッキングワイヤおよびチルティングワイヤワイヤの断面２次モーメントの合計と同じになるようにすることが望ましい。
【図面の簡単な説明】
【００６６】
【図１】本発明の一実施形態に係る光ピックアップ装置の全体構成を示す斜視図である。
【図２】図１に示す対物レンズ駆動装置の全体構成を示す斜視図である。
【図３】図１に示す対物レンズ駆動装置の上面図である
【図４】図１に示す対物レンズ駆動装置の側面図である。
【図５】従来の対物レンズ駆動装置の断面図である。
【符号の説明】
【００６７】
１  光ピックアップ装置
１０  対物レンズ駆動装置
１１  光学ベース
１２  レーザ光源
１３  光検出器
２  レンズホルダ
２１  レンズホルダ本体
２１１、２１２  矩形状貫通穴
２２  対物レンズ
２３  フォーカシングコイル
２４１〜２４４  トラッキングコイル
２５１〜２５４  チルティングコイル
３  ダンパベース
３１  ダンパベース本体
３２  支持部
３２１  充填用凹部
３２２  ダンピング材
３２３  上部貫通孔
３２４、３２５  下部貫通孔
３３  ネジ
４  ヨーク
４１  底板部
４２１、４２２  マグネット取付部
４３１〜４３４  ヨーク片
４４、４５  マグネット
５１、５２  チルティングワイヤ
５３、５４  フォーカシングワイヤ
５５、５６  トラッキングワイヤ
６１  第１支持部
６１１  貫通孔
６２  第２支持部
６２１、６２２  貫通孔
６３〜６５  接続突起
１００  対物レンズ駆動装置
１０１  レンズホルダ
１０２  対物レンズ
１０６ｃ、１０６ｄ  チルティング用マグネット
１０７ａ、１０７ｂ  上部
１０７ｃ、１０７ｄ  下部
１０８ａ〜１０８ｅ  サスペンションワイヤ
１０９  チルティングコイル
【図１】
2007048336.tif 000003
【図２】
2007048336.tif 000004
【図３】
2007048336.tif 000005
【図４】
2007048336.tif 000006
【図５】
2007048336.tif 000007